【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
冷却することによって液化される液化ガスを流すガス流路と、
前記ガス流路内を流れる液化ガスを冷却する蒸発器および圧縮機、凝縮器、絞り膨張器とで冷凍サイクルを構成する冷凍装置と、を備え、
前記圧縮機は、密閉構造とされたハウジングと、
前記ハウジング内部に内蔵された圧縮機構と、
前記圧縮機構と共に前記ハウジングに内蔵された電動モータと、を備え、
前記電動モータを介して駆動されるタイプであり、
前記冷凍装置がモジュール化され、その冷凍モジュールが必要冷却能力に対応するように前記ガス流路に対して複数台並列または直列に接続されており、
前記冷凍モジュールは、運転台数が前記液化ガスの流量増減と流入温度の変化による必要冷却能力に応じて増減される構成とされており、
前記冷凍モジュールの能力は、各々インバータにより調整可能とされ、前記各モジュールの運転台数を増減して能力を調整した場合の効率と、圧縮機回転数を増減して能力を調整した場合の効率とを比較して、効率の高い方で調整される構成とされており、
前記冷凍モジュールの運転台数の増減と、圧縮機回転数の増減のいずれかを選択する際、圧縮機の定期メンテナンス費用をメンテナンスインターバルで割った圧縮機の運転時間当たりのメンテナンスコストを電力コストに上乗せして比較判断する構成とされている液化ガス用冷却装置。
【請求項２】
冷却することによって液化される液化ガスを流すガス流路と、
前記ガス流路内を流れる液化ガスを冷却する蒸発器および圧縮機、凝縮器、絞り膨張器とで冷凍サイクルを構成する冷凍装置と、を備え、
前記圧縮機は、密閉構造とされたハウジングと、
前記ハウジング内部に内蔵された圧縮機構と、
前記圧縮機構と共に前記ハウジングに内蔵された電動モータと、を備え、
前記電動モータを介して駆動されるタイプであり、
前記冷凍装置がモジュール化され、その冷凍モジュールが必要冷却能力に対応するように前記ガス流路に対して複数台並列または直列に接続されており、
前記冷凍モジュールは、運転台数が前記液化ガスの流量増減と流入温度の変化による必要冷却能力に応じて増減される構成とされており、
前記冷凍モジュールの能力は、各々インバータにより調整可能とされ、前記各モジュールの運転台数を増減して能力を調整した場合の効率と、圧縮機回転数を増減して能力を調整した場合の効率とを比較して、効率の高い方で調整される構成とされており、
前記冷凍モジュールは、メンテナンス中のモジュールを除外した状態で最適化運転されるとともに、能力余裕やメンテナンス要員のリソースから決定されるメンテナンス可能な最大台数が同時にメンテナンス時期を迎えるように運転台数および運転するモジュールが決定される構成とされている液化ガス用冷却装置。
【請求項３】
前記冷凍モジュールは、メンテナンス中のモジュールを除外した状態で最適化運転されるとともに、能力余裕やメンテナンス要員のリソースから決定されるメンテナンス可能な最大台数が同時にメンテナンス時期を迎えるように運転台数および運転するモジュールが決定される構成とされている請求項１に記載の液化ガス用冷却装置。
【請求項４】
冷却することによって液化される液化ガスを流すガス流路と、
前記ガス流路内を流れる液化ガスを冷却する蒸発器および圧縮機、凝縮器、絞り膨張器とで冷凍サイクルを構成する冷凍装置と、を備え、
前記圧縮機は、密閉構造とされたハウジングと、
前記ハウジング内部に内蔵された圧縮機構と、
前記圧縮機構と共に前記ハウジングに内蔵された電動モータと、を備え、
前記電動モータを介して駆動されるタイプであり、
前記圧縮機がモジュール化され、その圧縮モジュールが必要冷却能力に対応するように前記冷凍サイクルに対して複数台並列に接続された構成とされており、
前記圧縮モジュールは、運転台数が前記液化ガスの流量増減と流入温度の変化による必要冷却能力に応じて増減される構成とされており、
前記圧縮モジュールの能力は、各々インバータにより調整可能とされ、前記各モジュールの運転台数を増減して能力を調整した場合の効率と、圧縮機回転数を増減して能力を調整した場合の効率とを比較して、効率の高い方で調整される構成とされており、
前記圧縮モジュールの運転台数の増減と、圧縮機回転数の増減のいずれかを選択する際、圧縮機の定期メンテナンス費用をメンテナンスインターバルで割った圧縮機の運転時間当たりのメンテナンスコストを電力コストに上乗せして比較判断する構成とされている液化ガス用冷却装置。
【請求項５】
冷却することによって液化される液化ガスを流すガス流路と、
前記ガス流路内を流れる液化ガスを冷却する蒸発器および圧縮機、凝縮器、絞り膨張器とで冷凍サイクルを構成する冷凍装置と、を備え、
前記圧縮機は、密閉構造とされたハウジングと、
前記ハウジング内部に内蔵された圧縮機構と、
前記圧縮機構と共に前記ハウジングに内蔵された電動モータと、を備え、
前記電動モータを介して駆動されるタイプであり、
前記圧縮機がモジュール化され、その圧縮モジュールが必要冷却能力に対応するように前記冷凍サイクルに対して複数台並列に接続された構成とされており、
前記圧縮モジュールは、運転台数が前記液化ガスの流量増減と流入温度の変化による必要冷却能力に応じて増減される構成とされており、
前記圧縮モジュールの能力は、各々インバータにより調整可能とされ、前記各モジュールの運転台数を増減して能力を調整した場合の効率と、圧縮機回転数を増減して能力を調整した場合の効率とを比較して、効率の高い方で調整される構成とされており、
前記圧縮モジュールは、メンテナンス中のモジュールを除外した状態で最適化運転されるとともに、能力余裕やメンテナンス要員のリソースから決定されるメンテナンス可能な最大台数が同時にメンテナンス時期を迎えるように運転台数および運転するモジュールが決定される構成とされている液化ガス用冷却装置。
【請求項６】
前記圧縮モジュールは、メンテナンス中のモジュールを除外した状態で最適化運転されるとともに、能力余裕やメンテナンス要員のリソースから決定されるメンテナンス可能な最大台数が同時にメンテナンス時期を迎えるように運転台数および運転するモジュールが決定される構成とされている請求項４に記載の液化ガス用冷却装置。
【請求項７】
冷却することによって液化される液化ガスを流すガス流路と、
前記ガス流路内を流れる液化ガスを冷却する蒸発器および圧縮機、凝縮器、絞り膨張器とで冷凍サイクルを構成する冷凍装置と、を備え、
前記圧縮機は、密閉構造とされたハウジングと、
前記ハウジング内部に内蔵された圧縮機構と、
前記圧縮機構と共に前記ハウジングに内蔵された電動モータと、を備え、
前記電動モータを介して駆動されるタイプであり、
前記圧縮機の前記電動モータには、その給電回路に対して継電器が設けられており、
前記継電器は、前記圧縮機の吸入側および吐出側に設けられているメンテナンス用開閉弁の開閉動作に応動して、オン・オフ動作される構成とされている液化ガス用冷却装置。
【請求項８】
前記冷凍装置がモジュール化され、その冷凍モジュールが必要冷却能力に対応するように前記ガス流路に対して複数台並列または直列に接続されている請求項７に記載の液化ガス用冷却装置。
【請求項９】
前記圧縮機がモジュール化され、その圧縮モジュールが必要冷却能力に対応するように前記冷凍サイクルに対して複数台並列に接続された構成とされている請求項７に記載の液化ガス用冷却装置。
【請求項１０】
前記圧縮機の前記電動モータには、電源からの電力が系統連系コンバータおよびインバータを介して給電可能とされるとともに、それぞれの前記給電回路に対して前記継電器が設けられている請求項７に記載の液化ガス用冷却装置。
【請求項１１】
前記メンテナンス用開閉弁は、前記圧縮機が予め設定されている運転時間を経過して人為的または自動的に停止されると、手動又は自動により閉成され、その開閉弁の閉成を検知して前記継電器をオフとし、前記圧縮機への電路を遮断することにより、当該圧縮機をメンテナンス可能な状態とする構成とされている請求項７に記載の液化ガス用冷却装置。
【請求項１２】
前記冷凍モジュール又は圧縮モジュールは、運転台数が前記液化ガスの流量増減と流入温度の変化による必要冷却能力に応じて増減される構成とされている請求項８又は９に記載の液化ガス用冷却装置。